(57)【特許請求の範囲】
【請求項１】
蒸気タービンからの抽気を用いて機器への給水を加熱する複数の給水加熱器と、該複数の給水加熱器に接続され、該給水加熱器の周囲に配置される配管と、前記複数の給水加熱器が移動可能に設置されるレールと、該レール上を移動して所定位置に来た前記給水加熱器を吊上げる吊装置と、該吊装置及び前記レールを支持するモジュール架構とが、一体にモジュール化されて構成されていることを特徴とする蒸気タービン設備。
【請求項２】
請求項１に記載の蒸気タービン設備において、
前記一体にモジュール化された構成は、複数階に積層されていることを特徴とする蒸気タービン設備。
【請求項３】
請求項１又は２に記載の蒸気タービン設備において、
前記吊装置は、前記モジュール架構に移動可能に設置されていることを特徴とする蒸気タービン設備。
【請求項４】
請求項２又は３に記載の蒸気タービン設備において、
前記複数階に積層されている前記一体にモジュール化された構成の境界部分に、取外し床が設置されていることを特徴とする蒸気タービン設備。
【請求項５】
蒸気タービンからの抽気を用いて機器への給水を加熱する複数の給水加熱器と、該複数の給水加熱器に接続され、該給水加熱器の周囲に配置される配管と、前記複数の給水加熱器が移動可能に設置されるレールと、該レール上を移動して所定位置にきた前記給水加熱器を吊上げ移動させる吊装置と、該吊装置及び前記レールを支持するモジュール架構とが、一体にモジュール化されて構成される蒸気タービン設備における前記給水加熱器を搬入するに当たり、
前記一体となってモジュール化された状態で、前記給水加熱器が搬入装置により所定の階に搬送され、その後、前記吊装置及びレールを介して所定の場所に搬入されることを特徴とする蒸気タービン設備における給水加熱器の搬入方法。
【請求項６】
請求項５に記載の蒸気タービン設備における給水加熱器の搬入方法において、
前記一体にモジュール化された構成が複数階に積層され、かつ、前記一体となってモジュール化された状態の給水加熱器が、各階毎に前記搬入装置により搬送されることを特徴とする蒸気タービン設備における給水加熱器の搬入方法。
【請求項７】
請求項６に記載の蒸気タービン設備における給水加熱器の搬入方法において、
前記複数階に積層されている前記一体にモジュール化された構成の境界部分に、取外し床が設置され、前記一体となってモジュール化された状態の給水加熱器を搬出する際は、前記取外し床を取外して空間を形成し、前記給水加熱器を前記レール上を前記吊装置の下部まで移動した後、前記吊装置で前記空間を利用して前記給水加熱器を吊下げて搬出することを特徴とする蒸気タービン設備における給水加熱器の搬入方法。
【発明の詳細な説明】
【技術分野】
【０００１】
本発明は蒸気タービン設備及び蒸気タービン設備における給水加熱器の搬入方法に係り、特に、現場での給水加熱器の搬出入期間を短縮するものに好適な蒸気タービン設備及び蒸気タービン設備における給水加熱器の搬入方法に関する。
【背景技術】
【０００２】
一般に、発電所等を建設するためには、完成までに長い時間を要する。特に、発電所等において、蒸気タービンからの抽気を用いて、ボイラ又は原子炉等の機器への給水を加熱し、タービンプラントの熱効率の向上を図るための熱交換器の一つである給水加熱器は、付随する配管、サポート等を含めると工事期間が長く、発電所建設期間の長期化の要因の一つとなっている。そのため、給水加熱器に関する現場での搬出入期間を短縮することで、発電所全体の据付工事期間の短縮が望まれている。
【０００３】
このような据付工事期間の短縮を図るための復水器の据付工事方法が、特許文献１に記載されている。
【０００４】
この特許文献１には、仮設揚重機の性能等の制限により、復水器の大型化に追従できない場合が生じ、更に、復水器の大型化にも係らず、据付工事の工事短縮が要求されることの対策として、工場等において、複数の部分に分けて組立てられた復水器の上部胴上半モジュール等を、タービン基礎に隣接するメンテナンススペースに設置された引き込みのための鋼材上で復水器として組立てた後に、復水器据付位置に搬入して据付けることが記載され、その際に、給水加熱器、支持構造物、器内抽気管を組立てた給水加熱器モジュールを、上部胴胴部内に搬入組立が行われることが記載されている。
【先行技術文献】
【特許文献】
【０００５】
【特許文献１】特開２００２−２４３３８６号公報
【発明の概要】
【発明が解決しようとする課題】
【０００６】
給水加熱器は、付随する配管、サポート等を含めると工事期間が長く、発電所建設及びメンテナンス期間の長期化の要因の一つとなっている。
【０００７】
しかしながら、特許文献１に記載されている技術では、給水加熱器と配管を一体にモジュール化することが記載されているが、給水加熱器の搬出等を考慮して、この作業に必要となるレール、吊装置等を含めてモジュール化することについては記載されておらず、搬出の工事期間を短縮することの根本的な解決策とは言えない。
【０００８】
本発明は上述の点に鑑みなされたもので、その目的とするところは、給水加熱器、配管、レール及び吊装置等を建設現場で一体搬入することができ、配管工事、給水加熱器の搬入及び搬出作業などの工事期間を短縮することが可能な蒸気タービン設備及び蒸気タービン設備における給水加熱器の搬入方法を提供することにある。
【課題を解決するための手段】
【０００９】
本発明の蒸気タービン設備は、上記目的を達成するために、蒸気タービンからの抽気を用いて機器への給水を加熱する複数の給水加熱器と、該複数の給水加熱器に接続され、該給水加熱器の周囲に配置される配管と、前記複数の給水加熱器が移動可能に設置されるレールと、該レール上を移動して所定位置に来た前記給水加熱器を吊上げる吊装置と、該吊装置及び前記レールを支持するモジュール架構とが、一体にモジュール化されて構成されていることを特徴とする。
【００１０】
また、本発明の蒸気タービン設備における給水加熱器の搬入方法は、上記目的を達成するために、蒸気タービンからの抽気を用いて機器への給水を加熱する複数の給水加熱器と、該複数の給水加熱器に接続され、該給水加熱器の周囲に配置される配管と、前記複数の給水加熱器が移動可能に設置されるレールと、該レール上を移動して所定位置にきた前記給水加熱器を吊上げ移動させる吊装置と、該吊装置及び前記レールを支持するモジュール架構とが、一体にモジュール化されて構成される蒸気タービン設備における前記給水加熱器を搬入するに当たり、前記一体となってモジュール化された状態で、前記給水加熱器が搬入装置により所定の階に搬送され、その後、前記吊装置及びレールを介して所定の場所に搬入されることを特徴とする。
【発明の効果】
【００１１】
本発明によれば、給水加熱器、配管、レール及び吊装置等を建設現場で一体搬入することができ、配管工事、給水加熱器の搬入及び搬出作業などの工事期間を短縮することができる。
【図面の簡単な説明】
【００１２】
【図１】本発明の蒸気タービン設備の実施例１（３階層）を示す斜視図である。
【図２】本発明の蒸気タービン設備の実施例１における１階部分を示す平面図である。
【図３】本発明の蒸気タービン設備の実施例１における２階部分を示す平面図である。
【図４】本発明の蒸気タービン設備の実施例１における３階部分を示す平面図である。
【図５】本発明の蒸気タービン設備の実施例１（３階層）を示す側面図である。
【図６】本発明の蒸気タービン設備の実施例２（２階層）を示す斜視図である。
【図７】本発明の蒸気タービン設備の実施例２（２階層）を示す側面図である。
【発明を実施するための形態】
【００１３】
以下、図示した実施例に基づいて本発明の蒸気タービン設備及び蒸気タービン設備における給水加熱器の搬入方法を説明する。なお、各実施例において、同一構成部品には同符号を使用する。
【実施例１】
【００１４】
図１乃至図５に本発明の蒸気タービン設備の実施例１を示し、蒸気タービン設備が３階層で形成される場合の例である。
【００１５】
該図に示す本実施例の蒸気タービン設備は、蒸気タービン（図示せず）からの抽気を用いて、ボイラ又は原子炉等の機器への給水を加熱する複数の給水加熱器１と、この複数の給水加熱器１に接続され、給水加熱器１の周囲に配置される配管２と、複数の給水加熱器１が移動可能に床３の上に設置されるレール４と、このレール４上を移動して所定位置に来た給水加熱器１を吊上げる吊装置５と、この吊装置５及びレール４を支持するモジュール架構６とが、一体にモジュール化されて構成されている。
【００１６】
また、上記吊装置５は、モジュール架構６に移動可能に設置され、３階に積層されている一体にモジュール化された構成の各階の境界部分（１階と２階及び２階と３階の境界部分）には、取外し床７が設置されている。
【００１７】
なお、給水加熱器１、配管２、床３の上に設置されるレール４、吊装置５及びモジュール架構６を一体にするモジュール化は工場等で行い、給水加熱器１の段数に合わせて、１〜３階の最適な階層を選定して製作される。製作した階層分のモジュールの現地への運搬はトレーラ等で行い、現地ではクレーン等を用いて３階まで上述した構成のモジュールの搬入を行って配管等の接続を含めた据付を行い、据付が完了する。
【００１８】
即ち、蒸気タービン設備における給水加熱器１の搬入の際には、給水加熱器１、配管２、床３の上に設置されるレール４、吊装置５及びモジュール架構６が一体となってモジュール化された状態で、給水加熱器１が、クレーン等の搬入装置により各階に搬送され、その後、吊装置５及びレール４を介して所定の位置に搬入される（図５の状態）。これは、一体にモジュール化された構成が３階まで積層され、かつ、一体となってモジュール化された状態の給水加熱器１が、各階毎にクレーン等の搬入装置により搬送され、その後、吊装置５及びレール４を介して所定の位置に搬入されるものである。
【００１９】
次に、給水加熱器１の搬出について説明する。
【００２０】
本実施例において、各階の給水加熱器１を搬出する際は、１階と２階及び２階と３階の境界部分に設置されている取外し床７を取外して空間を形成し、３階の給水加熱器１をレール４上を吊装置５の下部まで移動した後（図４の破線で示す給水加熱器１の状態）、吊装置５で図１の左側の取外し床７を取外すことで形成される空間を利用して、給水加熱器１を１階まで吊下げて搬出する。
【００２１】
また、２階の給水加熱器１を搬出する際は、レール４上を吊装置５の下部まで移動した後（図３の破線で示す給水加熱器１の状態）、吊装置５で図１の右側の取外し床７を取外すことで形成される空間を利用して、給水加熱器１を１階まで吊下げて搬出する。
【００２２】
なお、１階の給水加熱器１を搬出する際は、レール４上を図１の右端部まで給水加熱器１を移動した後、２階の吊装置５で吊上げて１階の中央部分まで移動（図２の破線で示す給水加熱器１の状態）して搬送する。
【００２３】
このような本実施例とすることにより、モジュールとして、給水加熱器１、配管２、床３の上に設置されるレール４、吊装置５及びモジュール架構６等を建設現場で一体搬入することができるため、配管工事、搬出作業などの工事期間を短縮することが可能である。また、給水加熱器１の段数を増やす際に、モジュールの追加を行うことで対応が可能であるため、現地での工事期間の短縮が可能となる。
【００２４】
なお、発電所等の効率改善等で給水加熱器１の段数を増やす際は、給水加熱器１、配管２、床３の上に設置されるレール４、吊装置５及びモジュール架構６がモジュール化された上に、更にモジュール化された給水加熱器１、配管２、床３の上に設置されるレール４、吊装置５及びモジュール架構６を載せて固定することで可能であり、最後に配管等の接続を行い据付完了となる。
【実施例２】
【００２５】
図６及び図７に本発明の蒸気タービン設備の実施例２を示し、蒸気タービン設備が２階層で形成される場合の例である。
【００２６】
該図に示す本実施例は、実施例１の３階部分を省いた状態であり、給水加熱器の搬入及び搬出は、実施例１で説明した搬入、搬出と同一なので説明は省略する。
【００２７】
このような本実施例の構成であっても、その効果は実施例１と同様である。
【符号の説明】
【００２８】
１…給水加熱器、２…配管、３…床、４…レール、５…吊装置、６…モジュール架構、７…取外し床。
【図１】
0006450663.tif 000002
【図２】
0006450663.tif 000003
【図３】
0006450663.tif 000004
【図４】
0006450663.tif 000005
【図５】
0006450663.tif 000006
【図６】
0006450663.tif 000007
【図７】
0006450663.tif 000008